(57)【要約】  本開示は、ランダムアクセス方法及び端末を提供する。本開示の方法において、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことを含む。【選択図】  図４
2021524698.tif 000002
【特許請求の範囲】
【請求項１】
端末に応用されるランダムアクセス方法であって、
非競合ランダムアクセスの開始に際し、現在のアップリンクとダウンリンクのＢＷＰ（Ｂａｎｄ  Ｗｉｄｔｈ  Ｐａｒｔ）と、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことを含む、ランダムアクセス方法。
【請求項２】
現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む、請求項１に記載のランダムアクセス方法。
【請求項３】
端末が、同じ番号を持つアップリンクのＢＷＰとダウンリンクのＢＷＰとして、活性化ＢＷＰを設定し、活性化ＢＷＰで競合ランダムアクセスを行うことは、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを、設定することを含む、請求項１又は２に記載のランダムアクセス方法。
【請求項４】
端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことは、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留すること、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定することを含む、請求項１又は２に記載のランダムアクセス方法。
【請求項５】
トランシーバと、メモリと、プロセッサと、メモリに記憶されているプロセッサで実行可能なプログラムを含む端末であって、
前記プロセッサが前記プログラムを実行すると、
非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことが実現される、端末。
【請求項６】
現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む、請求項５に記載の端末。
【請求項７】
前記プロセッサが前記プログラムを実行すると、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを、設定することが実現される、請求項５又は６に記載の端末。
【請求項８】
前記プロセッサが前記プログラムを実行すると、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留すること、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定することが実現される、請求項５又は６に記載の端末。
【請求項９】
プログラムが記憶されているコンピュータ読み取り可能な記憶媒体であって、
該プログラムがプロセッサによって実行されると、請求項１〜４のいずれか一項に記載のランダムアクセス方法が実現される、コンピュータ読み取り可能な記憶媒体。
【請求項１０】
非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行う処理モジュールを含む、端末。
【請求項１１】
現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む、請求項１０に記載の端末。
【請求項１２】
前記処理モジュールは、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定する、請求項１０又は１１に記載の端末。
【請求項１３】
前記処理モジュールは、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留し、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定する、請求項１０又は１１に記載の端末。
【発明の詳細な説明】
【技術分野】
【０００１】
本願は、２０１８年７月６日に中国特許庁に提出された中国特許出願２０１８１０７３９００５．４の優先権を主張し、その全ての内容が援用によりここに取り込まれる。
本開示は、通信応用の技術分野に係り、特にランダムアクセス方法及び端末に係る。
【背景技術】
【０００２】
次世代無線通信システム（５Ｇ又はＮＲシステム）のネットワーク側において、端末の伝送帯域幅よりもはるかに大きいネットワーク側帯域幅を複数のＢＷＰ（Ｂａｎｄ  Ｗｉｄｔｈ  Ｐａｒｔ）に分割し、そのうちの１つ又は複数のＢＷＰを端末に対して設定し、そのうちの一部のＢＷＰを活性化して伝送を行う。終端からみると、シグナリングやデータの伝送は、活性化ＢＷＰでのみ行われる。ネットワーク側は、端末に対して複数のＢＷＰを設定した後、物理層シグナリングＤＣＩ（Ｄｏｗｎｌｉｎｋ  Ｃｏｎｔｒｏｌ  Ｉｎｆｏｒｍａｔｉｏｎ）を用いて活性化ＢＷＰを変更するが、アップリンクの活性化ＢＷＰとダウンリンクの活性化ＢＷＰは、それぞれ変更できる。また、ＢＷＰ非活性化タイマ（ｂｗｐ−ＩｎａｃｔｉｖｉｔｙＴｉｍｅｒ）も導入し、ｂｗｐ−ＩｎａｃｔｉｖｉｔｙＴｉｍｅｒがタイムアウトすると、端末のダウンリンクの活性化ＢＷＰは、デフォルトのダウンリンクのＢＷＰに変更するが、デフォルトのダウンリンクのＢＷＰ設定がなければ、初期ＢＷＰに変更する。
【０００３】
ＢＷＰの導入後に、ランダムアクセスを行う場合、ランダムアクセス過程において端末と基地局によるＢＷＰ送受信の不整合が生じないように、端末と基地局は、どのアップリンクのＢＷＰでランダムアクセスを開始し、どのダウンリンクのＢＷＰでランダムアクセス応答を行うかを、予め決める必要がある。
【０００４】
ＮＲは、ランダムアクセス過程で同じＢＷＰ番号を採用する方式を導入し、即ち、端末がアップリンク伝送（Ｍｓｇ１、Ｍｓｇ３）を開始するアップリンクのＢＷＰの番号と、端末がダウンリンク伝送（Ｍｓｇ２、Ｍｓｇ４）を受信するダウンリンクのＢＷＰの番号とは同じである。現在端末が動作しているアップリンク、ダウンリンクのＢＷＰの番号が一致していなければ、端末は、ランダムアクセスを開始する前に、ダウンリンクのＢＷＰを、Ｍｓｇ１を開始したアップリンクのＢＷＰの番号と同じ番号のダウンリンクのＢＷＰに変更する。例えば、端末は、現在の活性化されたＢＷＰがＤＬ  ＢＷＰ１とＵＬ  ＢＷＰ２であり、ＵＬ  ＢＷＰ２でランダムアクセスを開始しようとすると、まずダウンリンクのＢＷＰをＤＬ  ＢＷＰ２に変更する。
【０００５】
非競合ランダムアクセスに対して、アップリンクとダウンリンクのＢＷＰ番号が必ず同じになるように限定するのであれば、非競合ランダムアクセスをトリガした時点で端末のアップリンクの活性化されたＢＷＰ番号とダウンリンクの活性化されたＢＷＰ番号とが異なると、端末は、必ずダウンリンクのＢＷＰ変更を行うことになる。２つの可能な結果が生じる。
１）非競合ランダムアクセスを行うためには、基地局は、非競合ランダムアクセスのアップリンクとダウンリンクのＢＷＰ番号を同一に設定しなければならない。このような方式は、ＰＤＣＣＨによってトリガされる非競合ランダムアクセスが現在の活性化ＢＷＰのみで行われるため、ＰＤＣＣＨによってトリガされる非競合ランダムアクセスを実現することができないのみならず、基地局による設定の柔軟性が損なわれ、アップリンクとダウンリンクのＢＷＰの独立的な設定と活性化の基本原理に反する。
２）基地局が、非競合ランダムアクセスのためのアップリンクとダウンリンクのＢＷＰ番号が異なるように（ＲＲＣ設定又はＰＤＣＣＨ命令で）設定した場合、端末がダウンリンクのＢＷＰ変更を行うと、このような関係が崩れ、ランダムアクセスができなくなる。
【０００６】
非競合ランダムアクセス過程のアップリンクとダウンリンクのＢＷＰは、いずれも基地局によって設定されるが、何らかの理由で、端末のアップリンクとダウンリンクのＢＷＰが変更された後、設定された非競合ランダムアクセスリソースに対応するアップリンクとダウンリンクのＢＷＰに一致しなくなってしまう場合、現在のプロトコルでは、ランダムアクセスをどのように行うかは定かではない。
【発明の概要】
【発明が解決しようとする課題】
【０００７】
本開示の目的は、非競合ランダムアクセス過程で、端末のアップリンクとダウンリンクのＢＷＰが、設定された非競合ランダムアクセスリソースに対応するアップリンクとダウンリンクのＢＷＰに一致しない場合に、現在のプロトコルでは、ランダムアクセスをどのように行うかは定かではないという問題を解決するために、ランダムアクセス方法及び端末を提供する。
【課題を解決するための手段】
【０００８】
上記目的を実現するために、本開示の実施例は、端末に応用されるランダムアクセス方法を提供し、非競合ランダムアクセスの開始に際し、現在のアップリンクとダウンリンクのＢＷＰ（Ｂａｎｄ  Ｗｉｄｔｈ  Ｐａｒｔ）と、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことを含む。
【０００９】
ここで、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００１０】
ここで、端末が、同じ番号を持つアップリンクのＢＷＰとダウンリンクのＢＷＰとして、活性化ＢＷＰを設定し、活性化ＢＷＰで競合ランダムアクセスを行うことは、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを、設定することを含む。
【００１１】
ここで、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことは、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留すること、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定することを含む。
【００１２】
上記目的を実現するために、本開示の実施例は、トランシーバと、メモリと、プロセッサと、メモリに記憶されているプロセッサで実行可能なプログラムを含む端末を更に提供し、前記プロセッサが前記プログラムを実行すると、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことが実現される。
【００１３】
ここで、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００１４】
ここで、前記プロセッサが前記プログラムを実行すると、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを、設定することが実現される。
【００１５】
ここで、前記プロセッサが前記プログラムを実行すると、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留すること、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定することが実現される。
【００１６】
上記目的を実現するために、本開示の実施例は、プログラムが記憶されているコンピュータ読み取り可能な記憶媒体を更に提供し、該プログラムがプロセッサによって実行されると、上記のランダムアクセス方法が実現される。
【００１７】
上記目的を実現するために、本開示の実施例は、端末を提供し、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行う処理モジュールを含む。
【００１８】
ここで、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００１９】
ここで、前記処理モジュールは、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定する。
【００２０】
ここで、前記処理モジュールは、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留し、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定する。
【発明の効果】
【００２１】
本開示の実施例の上記技術手段において、非競合ランダムアクセスを開始する際に、現在のアップリンクとダウンリンクのＢＷＰが、基地局から設定された非競合ランダムアクセスのためのアップリンクとダウンリンクのＢＷＰと一致しなければ、端末が、活性化ＢＷＰをリセットし、例えば、同じ番号を持つアップリンクのＢＷＰとダウンリンクのＢＷＰを活性化ＢＷＰに設定して競合ランダムアクセスを行うようにしたり、基地局から設定された非競合ランダムアクセスのためのアップリンクのＢＷＰとダウンリンクのＢＷＰを活性化ＢＷＰに設定して非競合アクセスを行うようにしたりすることで、現在のアップリンクとダウンリンクのＢＷＰが、基地局から設定された非競合ランダムアクセスのためのアップリンクとダウンリンクのＢＷＰと一致しない場合にランダムアクセスがどのように行われるかという問題を解決する。
【図面の簡単な説明】
【００２２】
【図１】ＢＷＰの第１設定シナリオの概略図である。
【図２】ＢＷＰの第２設定シナリオの概略図である。
【図３】ＢＷＰの第３設定シナリオの概略図である。
【図４】本開示の実施例に係るランダムアクセス方法のフロチャートである。
【図５】本開示の実施例に係る端末の構造ブロック図である。
【図６】本開示の実施例に係る端末のモジュール概略図である。
【発明を実施するための形態】
【００２３】
以下、本開示の実施例の図面を参照しながら、本開示の実施例の技術手段を明確且つ完全に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００２４】
本開示の実施例に係るランダムアクセス方法を当業者によりよく理解するために、まず、従来技術におけるランダムアクセスを下記のように説明する。
【００２５】
ランダムアクセスは、競合ランダムアクセスと非競合ランダムアクセスの２種類に分類される。それぞれの過程は、以下の通りである。
【００２６】
競合ランダムアクセス過程は、主に４つのステップに分けられる。
Ｍｓｇ１：ＵＥは、ランダムアクセスコードｐｒｅａｍｂｌｅ（ランダムアクセスプリアンブル）及びランダムアクセスリソースＰＲＡＣＨ（Ｐｈｙｓｉｃａｌ  Ｒａｎｄｏｍ  Ａｃｃｅｓｓ  Ｃｈａｎｎｅｌ）を選択し、選択したランダムアクセスコードｐｒｅａｍｂｌｅを、選択したＰＲＡＣＨリソースで基地局に送信する。
Ｍｓｇ２：基地局は、ランダムアクセス要求Ｍｓｇ１を受信すると、アップリンクタイミングアドバンス量、Ｍｓｇ３に割り当てたアップリンクリソースＵＬ  ｇｒａｎｔ、ネットワーク側で割り当てたセル無線ネットワーク一時識別Ｃ−ＲＮＴＩを含むランダムアクセス応答をＵＥに送信する。Ｍｓｇ２スケジューリングメッセージを運ぶＰＤＣＣＨは、ＲＡ−ＲＮＴＩでスクランブルされ、ｐｒｅａｍｂｌｅ  ＩＤもＭｓｇ２に運ばれる。ＵＥは、該Ｍｓｇ２がＵＥから送信されたＭｓｇ１に対応することを、ランダムアクセス無線ネットワーク一時識別ＲＡ−ＲＮＴＩ及びｐｒｅａｍｂｌｅ  ＩＤによって特定する。
Ｍｓｇ３：ＵＥは、Ｍｓｇ２により割り当てられたＵＬ  ｇｒａｎｔでアップリンク伝送を送信し、異なるランダムアクセス理由では、Ｍｓｇ３のアップリンク伝送の内容が異なり、例えば、初期アクセスの場合にＲＲＣ接続確立要求がＭｓｇ３で伝送される。
Ｍｓｇ４：競合解決メッセージであって、ＵＥは、ランダムアクセスが成功したか否かをＭｓｇ４により判断する。初期アクセスＵＥについて、競合解決が成功した後、一時的Ｃ−ＲＮＴＩは、該セル内のＵＥの唯一ＵＥ識別Ｃ−ＲＮＴＩに自動的に変換される。
【００２７】
非競合ランダムアクセス過程は、主に以下の３つのステップに分けられる。非競合ランダムアクセスは、ＰＤＣＣＨ命令によってトリガされるランダムアクセス、ハンドオーバ及びビーム障害回復の３つのシナリオに使用される。
【００２８】
Ｍｓｇ０：基地局は、非競合ランダムアクセスのための専用ｐｒｅａｍｂｌｅ及びランダムアクセスに使用されるＰＲＡＣＨリソースをＵＥに割り当てる。
Ｍｓｇ１：ＵＥは、Ｍｓｇ０の指示に従って、指定された専用ｐｒｅａｍｂｌｅを指定されたＰＲＡＣＨリソースで基地局に送信する。基地局は、Ｍｓｇ１を受信した後に、Ｍｓｇ１に基づいてアップリンクタイミングアドバンス量ＴＡを算出する。
Ｍｓｇ２：基地局は、ランダムアクセス応答をＵＥに送信する。ほとんどのランダムアクセスシナリオでは、ランダムアクセス応答のフォーマットは、競合ランダムアクセスと同じであり、端末は、ランダムアクセス応答ＭＡＣ  ＲＡＲのＲＡＰＩＤがＭｓｇ１で送信されるｐｒｅａｍｂｌｅコードと同じになることで競合解決を完了する。ＮＲでは、ビーム障害回復（ｂｅａｍ  ｆａｉｌｕｒｅ  ｒｅｃｏｖｅｒｙ）という新しい非競合ランダムアクセスシナリオも導入されている。このシナリオでは、Ｍｓｇ２がＣ−ＲＮＴＩを運ぶＰＤＣＣＨであり、該Ｃ−ＲＮＴＩが端末のＣ−ＲＮＴＩと一致すれば、端末がランダムアクセスが成功したと判断し、ビーム障害回復が成功する。ビーム障害回復に使用されるランダムアクセスリソースとランダムアクセス応答を受信する制御リソースセットＣＯＲＥＳＥＴは、いずれもＲＲＣシグナリングによって事前に割り当てたものであり、それぞれが在圏するアップリンクとダウンリンクのＢＷＰを含む。
【００２９】
また、ＢＷＰに関しては、次のように説明する。従来技術のＬＴＥ（登録商標）システムでは、ネットワーク側から見ると、セル帯域幅が端末受信帯域幅２０ＭＨｚ以下であるため、ネットワーク側において、常にセルのアップリンクとダウンリンクの合計帯域幅を端末に対して設定し、端末は、セル帯域幅全体で動作可能である。ＮＲシステムでは、ネットワーク側の帯域幅は、４００ＭＨｚともなってもよく、端末の受信能力よりもはるかに大きい。そこで、ＢＷＰの概念を導入し、即ち、ネットワーク側の大きな帯域を複数のＢＷＰに分割し、端末に対して１又は複数のＢＷＰを設定し、設定した一部のＢＷＰを活性化して端末に対してアップリンクとダウンリンクの伝送を行う。活性化されたダウンリンクのＢＷＰは、ａｃｔｉｖｅ  ＤＬ  ＢＷＰと称し、活性化されたアップリンクのＢＷＰは、ａｃｔｉｖｅ  ＵＬ  ＢＷＰと称する。Ｒ１５バージョンでは、端末にとって、ある時点で１つのＤＬ  ＢＷＰと１つのＵＬ  ＢＷＰしか活性化できず、活性化されていないＢＷＰでは、アップリンクとダウンリンクのシグナリングやデータの伝送ができない。ここで、図１、図２及び図３は、ＢＷＰの典型的なシナリオ設定概略図である。
【００３０】
ＢＷＰについて、３ＧＰＰ（登録商標）では、いくつかの基本概念も定義している。
初期ＢＷＰ（ｉｎｉｔｉａｌ  ＢＷＰ）：初期アクセスの端末は、接続確立過程を完成するには、初期ＢＷＰ（ｉｎｉｔｉａｌ  ＢＷＰ）しか使用できない。初期ＢＷＰには、基本的なセル同報シグナリング及びランダムアクセスリソースなどが含まれる。
デフォルトＢＷＰ（ｄｅｆａｕｌｔ  ＢＷＰ）：ネットワーク側基地局ｇＮＢは、接続状態端末に対して１つのデフォルトＢＷＰを設定し、端末は、セル接続の維持、セル測定、ランダムアクセス開始などの基本動作をデフォルトＢＷＰで行う。
設定ＢＷＰ（ｃｏｎｆｉｇｕｒｅｄ  ＢＷＰ）：ネットワーク側は、単一の接続状態の端末に対して設定されたＢＷＰであり、各ＢＷＰは、ＰＵＣＣＨ設定、ＳＰＳ設定など異なる設定内容を持つ。ＤＬ  ＢＷＰとＵＬ  ＢＷＰは、別々に設定してもよい。
活性化ＢＷＰ（ａｃｔｉｖｅ  ＢＷＰ）：ネットワーク側から設定されたＢＷＰのうち、端末は、活性化ＢＷＰのみを使用してアップリンクとダウンリンクの伝送を行うことができる。活性化ＢＷＰは、ａｃｔｉｖｅ  ＤＬ  ＢＷＰ及びａｃｔｉｖｅ  ＵＬ  ＢＷＰに分けられる。
【００３１】
ネットワーク側は、端末に対して複数のＢＷＰを設定した後、物理層シグナリングＤＣＩを用いて活性化ＢＷＰを変更するが、アップリンクの活性化ＢＷＰとダウンリンクの活性化ＢＷＰは、それぞれ変更できる。また、ＢＷＰ非活性化タイマｂｗｐ−ＩｎａｃｔｉｖｉｔｙＴｉｍｅｒも導入し、ｂｗｐ−ＩｎａｃｔｉｖｉｔｙＴｉｍｅｒがタイムアウトすると、端末のダウンリンクの活性化ＢＷＰは、デフォルトのダウンリンクのＢＷＰに変更するが、デフォルトのダウンリンクのＢＷＰ設定がなければ、初期ＢＷＰに変更する。
【００３２】
図４は、本開示の実施例に係るランダムアクセス方法のフロチャートである。図４に示すように、本開示の実施例に係るランダムアクセス方法は、端末に応用される方法であって、非競合ランダムアクセスの開始に際し、現在のアップリンクとダウンリンクのＢＷＰ（Ｂａｎｄ  Ｗｉｄｔｈ  Ｐａｒｔ）と、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うステップ４０１を含む。
【００３３】
ここで、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含む。ここで、現在の活性化されたアップリンクとダウンリンクのＢＷＰは、現在の活性化されたアップリンクのＢＷＰと現在の活性化されたダウンリンクのＢＷＰを含む。ＢＷＰ変更シグナリングは、アップリンクのＢＷＰの変更、又は、ダウンリンクのＢＷＰの変更、又は、アップリンクのＢＷＰとダウンリンクのＢＷＰの変更を指示するために使用される。ＢＷＰ変更シグナリングによる可能な変更結果であるアップリンクとダウンリンクのＢＷＰは、可能な変更結果であるアップリンクのＢＷＰ、又は可能な変更結果であるダウンリンクのＢＷＰ、又は可能な変更結果であるアップリンクのＢＷＰとダウンリンクのＢＷＰを含む。
【００３４】
上記基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含む。
【００３５】
なお、本開示の実施例において、基地局から設定された非競合ランダムアクセスのためのＢＷＰは、基地局から設定された非競合ランダムアクセスのためのアップリンクのＢＷＰと、基地局から設定された非競合ランダムアクセスのためのダウンリンクのＢＷＰを含む。ここで、基地局から設定された非競合ランダムアクセスのためのアップリンクのＢＷＰは、上記基地局から設定された非競合ランダムアクセスリソースを含むアップリンクのＢＷＰであってもよいし、非競合ランダムアクセスのための他のアップリンクのＢＷＰであってもよい。基地局から設定された非競合ランダムアクセスのためのダウンリンクのＢＷＰは、基地局から設定されたランダムアクセス応答を傍受するための制御リソース集合ＣＯＲＥＳＥＴを含むダウンリンクのＢＷＰであってもよいし、非競合ランダムアクセスのための他のダウンリンクのＢＷＰであってもよい。本開示の実施例において、現在のアップリンクとダウンリンクのＢＷＰと、基地局から設定された非競合ランダムアクセスのためのアップリンクとダウンリンクのＢＷＰとは一致しないことは、現在のアップリンクのＢＷＰが基地局から設定されたアップリンクのＢＷＰと同じであり、現在のダウンリンクのＢＷＰが基地局から設定されたダウンリンクのＢＷＰと異なること、又は現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００３６】
具体的には、現在のアップリンクのＢＷＰは、現在の基地局によるＢＷＰ変更命令で指示されるアップリンクのＢＷＰであり、現在のダウンリンクのＢＷＰは、現在の基地局によるＢＷＰ変更命令で指示されるダウンリンクのＢＷＰである。又は、現在のアップリンクのＢＷＰは、現在活性化され、且つＢＷＰ変更命令を受信していないアップリンクのＢＷＰであり、現在のダウンリンクのＢＷＰは、現在活性化され、且つＢＷＰ変更命令を受信していないダウンリンクのＢＷＰである。又は、現在のアップリンクのＢＷＰは、現在の活性化されたアップリンクのＢＷＰであり、現在のダウンリンクのＢＷＰは、ＢＷＰ非活性化タイマのタイムアウトにより、変更された後のダウンリンクのＢＷＰである。又は、現在のアップリンクのＢＷＰは、現在の活性化されたアップリンクのＢＷＰであり、現在のダウンリンクのＢＷＰは、現在の活性化されたダウンリンクのＢＷＰである。
【００３７】
本開示の実施例に係るランダムアクセス方法において、非競合ランダムアクセスを開始する際に、現在のアップリンクとダウンリンクのＢＷＰが、基地局から設定された非競合ランダムアクセスのためのアップリンクとダウンリンクのＢＷＰと一致しなければ、端末が、活性化ＢＷＰをリセットし、例えば、同じ番号を持つアップリンクのＢＷＰとダウンリンクのＢＷＰを活性化ＢＷＰに設定して競合ランダムアクセスを行うようにしたり、基地局から設定された非競合ランダムアクセスのためのアップリンクのＢＷＰとダウンリンクのＢＷＰを活性化ＢＷＰに設定して非競合アクセスを行うようにしたりすることで、現在のアップリンクとダウンリンクのＢＷＰが、基地局から設定された非競合ランダムアクセスのためのアップリンクとダウンリンクのＢＷＰと一致しない場合にランダムアクセスがどのように行われるかという問題を解決する。
【００３８】
第１の選択的な実現形態として、上記ステップ４０１において、端末が、同じ番号を持つアップリンクのＢＷＰとダウンリンクのＢＷＰとして、活性化ＢＷＰを設定し、活性化ＢＷＰで競合ランダムアクセスを行うことは、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを、設定することを含む。
【００３９】
ここで、上記活性化アップリンクとダウンリンクのＢＷＰのＢＷＰ番号が異なるとは、活性化アップリンクのＢＷＰの番号が、活性化ダウンリンクのＢＷＰのＢＷＰ番号と異なることをいう。
【００４０】
この第１の実現形態では、現在の活性化されたアップリンクのＢＷＰ及び現在の活性化されたアップリンクのＢＷＰと同じＢＷＰ番号を持つダウンリンクのＢＷＰとして、活性化ＢＷＰを設定することは、具体的に、現在の活性化されたアップリンクのＢＷＰに競合ランダムアクセスリソース設定があれば、ダウンリンクのＢＷＰを、現在の活性化されたアップリンクのＢＷＰと同じＢＷＰ番号を持つダウンリンクのＢＷＰに変更し、アップリンクのＢＷＰがＵＬ  ＢＷＰ１であれば、ダウンリンクのＢＷＰをＤＬ  ＢＷＰ１に変更するが、現在の活性化されたアップリンクのＢＷＰに競合ランダムアクセスリソース設定がなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更し、初期のアップリンクとダウンリンクのＢＷＰで競合ランダムアクセスを行うことを含む。
【００４１】
以下、下記の実施例に関連して上記第１の実現形態を例示的に説明する。なお、実施例１、実施例２及び実施例３は、ビーム障害回復に係り、実施例４及び実施例５は、ＰＤＣＣＨ命令によってトリガされる非競合ランダムアクセスに係る。
【００４２】
実施例１
端末は、ビーム障害を検出すると、基地局から送信されたダウンリンクのＢＷＰ又はアップリンクのＢＷＰを変更する無線リソース制御ＲＲＣシグナリング又はＰＤＣＣＨ命令を受信し、競合ランダムアクセスに戻る。
【００４３】
端末側：
ステップ１において、端末は、ビーム障害を検出し、ビーム障害回復を開始しようと決定する。このとき、基地局から送信されたダウンリンク又はアップリンクのＢＷＰを変更するＲＲＣ命令又はＰＤＣＣＨ命令を受信する。
ステップ２において、端末は、基地局側命令に基づいてＢＷＰを変更する。
ステップ３において、端末は、現在の活性化されたアップリンクのＢＷＰに基づいて競合ランダムアクセスを開始し、具体的には、現在の活性化されたアップリンクのＢＷＰ（ＵＬ  ＢＷＰ１）に競合ランダムアクセスリソースがあれば、ダウンリンクのＢＷＰを、現在の活性化されたアップリンクのＢＷＰと同じ番号を持つダウンリンクのＢＷＰ（ＤＬ  ＢＷＰ１）に変更して、ＤＬ  ＢＷＰ１とＵＬ  ＢＷＰ１で競合ランダムアクセスを行い、現在の活性化されたＢＷＰ（ＵＬ  ＢＷＰ１）に競合ランダムアクセスリソースがなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更して、アップリンクとダウンリンクの初期ＢＷＰで競合ランダムアクセスを行う。
【００４４】
基地局側：
ステップ１において、基地局は、ダウンリンク又はアップリンクのＢＷＰを変更するＲＲＣ命令又はＰＤＣＣＨ命令を端末に送信する。
ステップ２において、基地局は、該端末のアップリンクとダウンリンクのＢＷＰを、指示されたアップリンクとダウンリンクのＢＷＰに変更する。
ステップ３において、基地局は、ＵＬ  ＢＷＰｘで送信されたランダムアクセス要求を受信し、同じＢＷＰ番号のＤＬ  ＢＷＰｘでランダムアクセス応答を送信し、ＵＬ  ＢＷＰｘとＤＬ  ＢＷＰｘで後続のランダムアクセス過程を完了し（基地局から見れば、競合ランダムアクセスが完了する前に、どの端末であるかを正確に認識することはできない）、ここで、ｘは、ＢＷＰ番号を示す。
【００４５】
実施例２
端末がビーム障害を検出したとき、ｂｗｐ−ＩｎａｃｔｉｖｉｔｙＴｉｍｅｒがタイムアウトし、競合ランダムアクセスに戻る。
【００４６】
端末側：
ステップ１において、端末は、ビーム障害を検出し、ビーム障害回復を開始しようと決定する。この時点でｂｗｐ−ＩｎａｃｔｉｖｉｔｙＴｉｍｅｒは、タイムアウトする。
ステップ２において、端末は、ダウンリンクＤＬ  ＢＷＰをデフォルトＤＬ  ＢＷＰに変更し、デフォルトＤＬ  ＢＷＰが設定されていなければ、初期ＤＬ  ＢＷＰに変更する。
ステップ３において、端末は、現在の活性化されたアップリンクのＢＷＰに基づいて競合ランダムアクセスを開始し、具体的には、現在の活性化されたアップリンクのＢＷＰ（ＵＬ  ＢＷＰ１）に競合ランダムアクセスリソースがあれば、ダウンリンクのＢＷＰを、現在の活性化されたアップリンクのＢＷＰと同じ番号を持つダウンリンクのＢＷＰ（ＤＬ  ＢＷＰ１）に変更して、ＤＬ  ＢＷＰ１とＵＬ  ＢＷＰ１で競合ランダムアクセスを行い、現在の活性化されたＢＷＰ（ＵＬ  ＢＷＰ１）に競合ランダムアクセスリソースがなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更して、アップリンクとダウンリンクの初期ＢＷＰで競合ランダムアクセスを行う。
【００４７】
基地局側：
端末側のステップ１、２は、いずれも端末の自発的な挙動であり、基地局は、それらを察知できない。基地局は、競合ランダムアクセス過程しか実行することができない。即ち、基地局は、ＵＬ  ＢＷＰｘで送信されたランダムアクセス要求を受信し、同じＢＷＰ番号のＤＬ  ＢＷＰｘでランダムアクセス応答を送信し、ＵＬ  ＢＷＰｘとＤＬ  ＢＷＰｘで後続のランダムアクセス過程を完了する。
【００４８】
実施例３
端末がビーム障害を検出したとき、現在の活性化されたアップリンクとダウンリンクのＢＷＰが、基地局から端末に対して設定した非競合ランダムアクセスのアップリンクとダウンリンクのＢＷＰペアと一致せず、競合ランダムアクセスに戻る。
【００４９】
ここで、現在の活性化されたアップリンクとダウンリンクのＢＷＰが、基地局から端末に対して設定した非競合ランダムアクセスのアップリンクとダウンリンクのＢＷＰペアと一致しないことは、現在の活性化されたＤＬ  ＢＷＰには、ビーム障害回復ＢＦＲ応答を傍受するＣＯＲＥＳＥＴが設定されるが、活性化ＵＬ  ＢＷＰが、それにマッチするＢＦＲ用の非競合ランダムアクセスリソースを含むＵＬ  ＢＷＰでない場合、又は、現在の活性化されたＵＬ  ＢＷＰには、ＢＦＲ用の非競合ランダムアクセスリソースを有するが、活性化ＤＬ  ＢＷＰが、それにマッチするＢＦＲ応答用のＣＯＲＥＳＥＴ設定を含むＤＬ  ＢＷＰでない場合を含む。
【００５０】
端末側：
ステップ１において、端末は、ビーム障害を検出し、ビーム障害回復を開始しようと決定する。
ステップ２において、端末は、現在の活性化されたＤＬ  ＢＷＰとＵＬ  ＢＷＰが、基地局からＢＦＲのために設定した非競合ランダムアクセスリソースのアップリンクとダウンリンクのＢＷＰペアに一致しないことを特定する。
ステップ３において、端末は、現在の活性化されたアップリンクのＢＷＰに基づいて競合ランダムアクセスを開始し、具体的には、現在の活性化されたアップリンクのＢＷＰ（ＵＬ  ＢＷＰ１）に競合ランダムアクセスリソースがあれば、ダウンリンクのＢＷＰを、現在の活性化されたアップリンクのＢＷＰと同じ番号を持つダウンリンクのＢＷＰ（ＤＬ  ＢＷＰ１）に変更して、ＤＬ  ＢＷＰ１とＵＬ  ＢＷＰ１で競合ランダムアクセスを行い、現在の活性化されたＢＷＰ（ＵＬ  ＢＷＰ１）に競合ランダムアクセスリソースがなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更して、アップリンクとダウンリンクの初期ＢＷＰで競合ランダムアクセスを行う。
【００５１】
基地局側：
端末側のステップ１、２は、いずれも端末の自発的な挙動であり、基地局は、それらを察知できない。基地局は、競合ランダムアクセス過程しか実行することができない。即ち、基地局は、ＵＬ  ＢＷＰｘで送信されたランダムアクセス要求を受信し、同じＢＷＰ番号のＤＬ  ＢＷＰｘでランダムアクセス応答を送信し、ＵＬ  ＢＷＰｘとＤＬ  ＢＷＰｘで後続のランダムアクセス過程を完了する。
【００５２】
実施例４
ＰＤＣＣＨ命令で非競合ランダムアクセスをトリガする場合、端末は、基地局から送信されたダウンリンク又はアップリンクのＢＷＰを変更するＲＲＣシグナリング又はＰＤＣＣＨ命令を受信し、競合ランダムアクセスに戻る。
【００５３】
端末側：
ステップ１において、端末は、ＰＤＣＣＨ命令を受信し、非競合ランダムアクセスを開始しようと決定する。このとき、基地局から送信されたダウンリンクのＢＷＰ又はアップリンクのＢＷＰを変更するＲＲＣ命令又はＰＤＣＣＨ命令を受信する。
ステップ２において、端末は、基地局側命令に基づいてＢＷＰを変更する。
ステップ３において、端末は、現在の活性化されたアップリンクのＢＷＰに基づいて競合ランダムアクセスを開始し、具体的には、現在の活性化されたアップリンクのＢＷＰ（ＵＬ  ＢＷＰ１）に競合ランダムアクセスリソースがあれば、ダウンリンクのＢＷＰを、現在の活性化されたアップリンクのＢＷＰと同じ番号を持つダウンＢＷＰ（ＤＬ  ＢＷＰ１）に変更して、ＤＬ  ＢＷＰ１とＵＬ  ＢＷＰ１で競合ランダムアクセスを行い、現在の活性化されたＢＷＰ（ＵＬ  ＢＷＰ１）に競合ランダムアクセスリソースがなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更して、アップリンクとダウンリンクの初期ＢＷＰで競合ランダムアクセスを行う。
【００５４】
基地局側：
ステップ１において、基地局は、ダウンリンク又はアップリンクのＢＷＰを変更するＲＲＣ命令又はＰＤＣＣＨ命令を端末に送信する。
ステップ２において、基地局は、該端末のアップリンクとダウンリンクのＢＷＰを、指示されたアップリンクとダウンリンクのＢＷＰに変更する。
ステップ３において、基地局は、ＵＬ  ＢＷＰｘで送信されたランダムアクセス要求を受信し、同じＢＷＰ番号のＤＬ  ＢＷＰｘでランダムアクセス応答を送信し、ＵＬ  ＢＷＰｘとＤＬ  ＢＷＰｘ上で後続のランダムアクセス過程を完了する。
【００５５】
実施例５
ＰＤＣＣＨ命令で非競合ランダムアクセスをトリガし、ｂｗｐ−ＩｎａｃｔｉｖｉｔｙＴｉｍｅｒがタイムアウトし、競合ランダムアクセスに戻る。
【００５６】
端末側：
ステップ１において、端末は、ＰＤＣＣＨ命令を受信し、非競合ランダムアクセスを開始しようと決定する。この時点でｂｗｐ−Ｉｎａｃｔｉｖｉｔｙ  Ｔｉｍｅｒがタイムアウトする。
ステップ２において、端末は、ＤＬ  ＢＷＰをデフォルトＤＬ  ＢＷＰに変更し、デフォルトＤＬ  ＢＷＰが設定されていなければ、初期ＤＬ  ＢＷＰに変更する。
ステップ３において、端末は、現在の活性化されたアップリンクのＢＷＰに基づいて競合ランダムアクセスを開始し、具体的には、現在の活性化されたアップリンクのＢＷＰ（ＵＬ  ＢＷＰ１）に競合ランダムアクセスリソースがあれば、ダウンリンクのＢＷＰを、現在の活性化されたアップリンクのＢＷＰと同じ番号を持つダウンリンクのＢＷＰ（ＤＬ  ＢＷＰ１）に変更して、ＤＬ  ＢＷＰ１とＵＬ  ＢＷＰ１で競合ランダムアクセスを行い、現在の活性化されたＢＷＰ（ＵＬ  ＢＷＰ１）に競合ランダムアクセスリソースがなければ、アップリンクのＢＷＰを初期アップリンクのＢＷＰ（ＵＬ  ＢＷＰ０）に変更するとともに、ダウンリンクのＢＷＰを初期ダウンリンクのＢＷＰ（ＤＬ  ＢＷＰ０）に変更して、アップリンクとダウンリンクの初期ＢＷＰで競合ランダムアクセスを行う。
【００５７】
基地局側：
端末側のステップ１、２は、いずれも端末の自発的な挙動であり、基地局は、察知できない。基地局は、競合ランダムアクセス過程しか実行することができない。即ち、基地局は、ＵＬ  ＢＷＰｘで送信されたランダムアクセス要求を受信し、同じＢＷＰ番号のＤＬ  ＢＷＰｘでランダムアクセス応答を送信し、ＵＬ  ＢＷＰｘとＤＬ  ＢＷＰｘで後続のランダムアクセス過程を完了する。
【００５８】
第２の選択的な実現形態として、上記ステップ４０１において、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うことは、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留すること、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留すること、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定すること、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定することを含む。
【００５９】
以下、具体的な実施例に関連して上記第２の選択的な実現形態を説明する。ここで、実施例６、実施例７及び実施例８は、ビーム障害回復に係り、実施例９及び実施例１０は、ＰＤＣＣＨ命令でトリガされる非競合ランダムアクセスに係る。
【００６０】
実施例６
端末は、ビーム障害を検出すると、基地局から送信されたダウンリンク又はアップリンクのＢＷＰを変更するＲＲＣシグナリング又はＰＤＣＣＨ命令を受信し、非競合ランダムアクセスを開始する。
【００６１】
端末側：
ステップ１において、端末は、ビーム障害を検出し、ビーム障害回復を開始しようと決定する。このとき、基地局から送信されたダウンリンク又はアップリンクのＢＷＰを変更するＲＲＣ命令又はＰＤＣＣＨ命令を受信する。
ステップ２において、端末は、基地局側のＢＷＰ変更命令を無視する。
ステップ３において、端末は、現在の活性化されたアップリンクとダウンリンクのＢＷＰで非競合ランダムアクセスを開始し、ビーム障害回復を行う。
【００６２】
基地局側：
ステップ１において、基地局は、ダウンリンク又はアップリンクのＢＷＰを変更するＲＲＣ命令又はＰＤＣＣＨ命令を端末に送信する。
ステップ２において、基地局は、該端末のアップリンクとダウンリンクのＢＷＰを、指示されたアップリンクとダウンリンクのＢＷＰに変更する。
ステップ３において、基地局は、端末により元の活性化ＵＬ  ＢＷＰのビーム障害回復に設定された専用ランダムアクセスリソースで開始したランダムアクセス要求Ｍｓｇ１を受信し、端末のＢＷＰ変更を行っていないことを特定し、その元の活性化ＵＬ  ＢＷＰに対応するＤＬ  ＢＷＰでビーム障害回復応答を送信する。
【００６３】
実施例７
端末がビーム障害を検出したとき、ｂｗｐ−ＩｎａｃｔｉｖｉｔｙＴｉｍｅｒがタイムアウトし、非競合ランダムアクセスを開始する。
【００６４】
端末側：
ステップ１において、端末は、ビーム障害を検出し、ビーム障害回復を開始しようと決定する。この時点でｂｗｐ−ＩｎａｃｔｉｖｉｔｙＴｉｍｅｒは、タイムアウトする。
ステップ２において、端末は、ＤＬ  ＢＷＰをデフォルトＤＬ  ＢＷＰに変更し、デフォルトＤＬ  ＢＷＰが設定されていなければ、初期ＤＬ  ＢＷＰに変更する。
ステップ３において、端末は、ＤＬ  ＢＷＰを、現在の活性化されたＵＬ  ＢＷＰにマッチした、非競合ランダムアクセスのビーム障害回復が可能なＤＬ  ＢＷＰに変更し、非競合ランダムアクセスを開始してビーム障害回復を行う。
又は、
ステップ１において、端末は、ビーム障害を検出し、ビーム障害回復を開始しようと決定する。この時点でｂｗｐ−ＩｎａｃｔｉｖｉｔｙＴｉｍｅｒは、タイムアウトする。
ステップ２において、端末は、ｂｗｐ−ＩｎａｃｔｉｖｉｔｙＴｉｍｅｒタイムアウト情報を無視し、ＤＬ  ＢＷＰを変更しない。
ステップ３において、端末は、現在の活性化されたＤＬ  ＢＷＰ及びＵＬ  ＢＷＰで非競合ランダムアクセスを開始してビーム障害回復を行う。
【００６５】
基地局側：
端末側のステップ１、２は、いずれも端末の自発的な挙動であり、基地局は、それらを察知できない。基地局は、非競合ランダムアクセス過程しか実行することができない。即ち、基地局は、端末によりＵＬ  ＢＷＰのビーム障害回復に設定された専用ランダムアクセスリソースで開始したランダムアクセス要求Ｍｓｇ１を受信し、その活性化ＵＬ  ＢＷＰに対応するＤＬ  ＢＷＰでビーム障害回復応答を送信する。
【００６６】
実施例８
端末がビーム障害を検出した場合、現在の活性化されたアップリンクとダウンリンクのＢＷＰが、基地局から端末に対し設定した非競合ランダムアクセスのアップリンクとダウンリンクのＢＷＰペアと一致せず、依然として非競合ランダムアクセスを開始する。
【００６７】
現在の活性化されたアップリンクとダウンリンクのＢＷＰが、基地局から端末に対して設定した非競合ランダムアクセスのアップリンクとダウンリンクのＢＷＰペアと一致しないことは、現在の活性化されたＤＬ  ＢＷＰには、ＢＦＲ応答を傍受するＣＯＲＥＳＥＴが設定されるが、活性化ＵＬ  ＢＷＰが、それにマッチするＢＦＲ用の非競合ランダムアクセスリソースを含むＵＬ  ＢＷＰでない場合、又は、現在の活性化されたＵＬ  ＢＷＰには、ＢＦＲ用の非競合ランダムアクセスリソースを有するが、活性化ＤＬ  ＢＷＰが、それにマッチするＢＦＲ応答用のＣＯＲＥＳＥＴ設定を含むＤＬ  ＢＷＰでない場合を含む。
【００６８】
端末側：
処理方式１として、端末は、ＤＬ  ＢＷＰを変更し、活性化ＵＬ  ＢＷＰとペアになってビーム障害回復のための非競合ランダムアクセスを開始する。
ステップ１において、端末は、ビーム障害を検出し、ビーム障害回復を開始しようと決定する。
ステップ２において、端末は、現在の活性化されたＤＬ  ＢＷＰとＵＬ  ＢＷＰが、ＢＦＲのために基地局によって設定された非競合ランダムアクセスリソースのアップリンクとダウンリンクのＢＷＰペアに一致しないことを特定する。
ステップ３において、端末は、活性化ＵＬ  ＢＷＰにマッチする、ＢＦＲのための非競合ランダムアクセスを開始できるＤＬ  ＢＷＰにＤＬ  ＢＷＰを変更し、その後、ビーム障害回復のための非競合ランダムアクセスを開始する。
又は、
処理方式２として、端末は、ＵＬ  ＢＷＰを変更し、活性化ＤＬ  ＢＷＰとペアになってビーム障害回復のための非競合ランダムアクセスを開始する。
ステップ１において、端末は、ビーム障害を検出し、ビーム障害回復を開始しようと決定する。
ステップ２において、端末は、現在の活性化されたＤＬ  ＢＷＰとＵＬ  ＢＷＰが、ＢＦＲのために基地局によって設定された非競合ランダムアクセスリソースのアップリンクとダウンリンクのＢＷＰペアに一致しないことを特定する。
ステップ３において、端末は、活性化ＵＬ  ＢＷＰにマッチする、ＢＦＲ用の非競合ランダムアクセスを開始できるＤＬ  ＢＷＰにＤＬ  ＢＷＰを変更し、その後、ビーム障害回復のための非競合ランダムアクセスを開始する。
【００６９】
基地局側：
端末側のステップ１、２は、いずれも端末の自発的な挙動であり、基地局は、それらを察知できない。基地局は、非競合ランダムアクセス過程しか実行することができない。即ち、基地局は、端末によりＵＬ  ＢＷＰのビーム障害回復に設定された専用ランダムアクセスリソースで開始したランダムアクセス要求Ｍｓｇ１を受信し、その活性化ＵＬ  ＢＷＰに対応するＤＬ  ＢＷＰでビーム障害回復応答を送信する。
【００７０】
実施例９
ＰＤＣＣＨ命令により非競合ランダムアクセスをトリガする場合、端末は、基地局から送信されたダウンリンク又はアップリンクのＢＷＰを変更するＲＲＣシグナリング又はＰＤＣＣＨ命令を受信し、非競合ランダムアクセスを開始する。
【００７１】
端末側：
ステップ１において、端末は、ＰＤＣＣＨ命令を受信し、非競合ランダムアクセスを開始しようと決定する。このとき、基地局から送信されたダウンリンク又はアップリンクのＢＷＰを変更するＲＲＣ命令又はＰＤＣＣＨ命令を受信する。
ステップ２において、端末は、基地局側のＢＷＰ変更命令を無視する。
ステップ３において、端末は、現在の活性化されたアップリンクとダウンリンクのＢＷＰで、ＰＤＣＣＨ命令の指示に従って非競合ランダムアクセスを開始する。
【００７２】
基地局側：
ステップ１において、基地局は、ダウンリンク又はアップリンクのＢＷＰを変更するＲＲＣ命令又はＰＤＣＣＨ命令を端末に送信する。
ステップ２において、基地局は、該端末のアップリンクとダウンリンクのＢＷＰを、指示されたアップリンクとダウンリンクのＢＷＰに変更する。
ステップ３において、基地局は、端末により元の活性化ＵＬ  ＢＷＰで開始したＰＤＣＣＨ命令で指示される専用ランダムアクセスリソースのランダムアクセス要求Ｍｓｇ１を受信し、端末がＢＷＰ変更を行っていないことを特定し、その元の活性化ＵＬ  ＢＷＰに対応するＤＬ  ＢＷＰ上でランダムアクセス応答を送信する。
【００７３】
実施例１０：
ＰＤＣＣＨ命令により非競合ランダムアクセスをトリガし、ｂｗｐ−ＩｎａｃｔｉｖｉｔｙＴｉｍｅｒがタイムアウトし、端末は、非競合ランダムアクセスを開始する。
【００７４】
端末側：
ステップ１において、端末は、ＰＤＣＣＨ命令を受信し、非競合ランダムアクセスを開始しようと決定する。この時点でｂｗｐ−ＩｎａｃｔｉｖｉｔｙＴｉｍｅｒは、タイムアウトする。
ステップ２において、端末は、ｂｗｐ−Ｉｎａｃｔｉｖｉｔｙ  Ｔｉｍｅｒタイムアウト情報を無視し、ＤＬ  ＢＷＰを変更しない。
ステップ３において、端末は、現在の活性化されたＤＬ  ＢＷＰ及びＵＬ  ＢＷＰで非競合ランダムアクセスを開始する。
【００７５】
基地局側：
端末側のステップ１、２は、いずれも端末の自発的な挙動であり、基地局は、それらを察知できない。基地局は、非競合ランダムアクセス過程しか実行することができない。即ち、基地局は、端末によりＵＬ  ＢＷＰで開始したＰＤＣＣＨ命令で指示される専用ランダムアクセスリソースのランダムアクセス要求Ｍｓｇ１を受信し、元の活性化ＤＬ  ＢＷＰでランダムアクセス応答を送信する。
【００７６】
本開示の実施例に係るランダムアクセス方法において、非競合ランダムアクセスを開始する際に、現在のアップリンクとダウンリンクのＢＷＰが、基地局から設定された非競合ランダムアクセスのためのアップリンクとダウンリンクのＢＷＰと一致しなければ、端末が、活性化ＢＷＰをリセットし、例えば、同じ番号を持つアップリンクのＢＷＰとダウンリンクのＢＷＰを活性化ＢＷＰに設定して競合ランダムアクセスを行うようにしたり、基地局から設定された非競合ランダムアクセスのためのアップリンクのＢＷＰとダウンリンクのＢＷＰを活性化ＢＷＰに設定して非競合アクセスを行うようにしたりすることで、現在のアップリンクとダウンリンクのＢＷＰが、基地局から設定された非競合ランダムアクセスのためのアップリンクとダウンリンクのＢＷＰと一致しない場合にランダムアクセスがどのように行われるかという問題を解決する。
【００７７】
図５に示すように、本開示の実施例は、トランシーバと、メモリと、プロセッサと、メモリに記憶されているプロセッサで実行可能なコンピュータプログラムを含む端末を更に提供し、前記プロセッサが前記プログラムを実行すると、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うステップが実現される。
【００７８】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットを提供する。ユーザ端末によっては、ユーザインタフェース５３０は、必要な機器に内部接続や外部接続できるインタフェースであってもよい。接続する機器は、キーパッド、ディスプレイ、スピーカ、マイクロフォン、ジョイスティックなどを含むが、それらに限られない。
【００７９】
プロセッサ５００は、バスアーキテクチャと通常の処理を管理する。メモリ５２０は、プロセッサ５００による操作実行に使用されるデータを記憶できる。
【００８０】
選択的に、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００８１】
選択的に、プロセッサ５００は、メモリ５２０からプログラムを読み取ることによって、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定するステップ、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定するステップ、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定するステップを実行する。
【００８２】
選択的に、プロセッサ５００は、メモリ５２０からプログラムを読み取ることによって、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留するステップ、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定するステップ、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留するステップ、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定するステップ、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定するステップ、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定するステップを実行する。
【００８３】
本開示の一部実施例は、コンピュータプログラムが記憶されているコンピュータ読み取り可能な記憶媒体を更に提供し、該プログラムがプロセッサによって実行されると、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行うステップが実現される。
【００８４】
該プログラムがプロセッサによって実行されると、上記ランダムアクセス方法の実施例におけるすべての実現形態を実現することができるので、重複を避けるために、ここでは繰り返して述べない。
【００８５】
図６に示すように、本開示の実施例は、端末６００を提供し、非競合ランダムアクセスの開始に際し、現在のアップリンクとダウンリンクのＢＷＰと、基地局から設定された非競合ランダムアクセスのためのアップリンクとダウンリンクのＢＷＰとは一致しなければ、端末が、同じ番号を持つアップリンクのＢＷＰとダウンリンクのＢＷＰとして、活性化ＢＷＰを設定し、活性化ＢＷＰで競合ランダムアクセスを行うか、又は、端末が、基地局から設定された非競合ランダムアクセスのためのアップリンクのＢＷＰとダウンリンクのＢＷＰとして、活性化ＢＷＰを設定し、活性化ＢＷＰで非競合ランダムアクセスを行う処理モジュール６０１を含む。
【００８６】
本開示の実施例に係る端末において、現在のアップリンクとダウンリンクのＢＷＰは、現在の活性化されたアップリンクとダウンリンクのＢＷＰ、又はＢＷＰ変更シグナリングによる可能な変更結果であるアップリンクとダウンリンクのＢＷＰ、又はＢＷＰ非活性化タイマのタイムアウトによる可能な変更結果であるアップリンクとダウンリンクのＢＷＰを含み、
基地局から設定された非競合ランダムアクセスのためのＢＷＰは、基地局から設定された非競合ランダムアクセスリソースを含むアップリンクのＢＷＰと、基地局から設定されたランダムアクセス応答を傍受するための制御リソース集合ＣＯＲＥＳＥＴを含むダウンリンクのＢＷＰとを含み、
現在のアップリンクとダウンリンクのＢＷＰと、基地局から設定された非競合ランダムアクセスのためのアップリンクとダウンリンクのＢＷＰとは一致しないことは、
現在のアップリンクのＢＷＰが基地局から設定されたアップリンクのＢＷＰと同じであり、現在のダウンリンクのＢＷＰが基地局から設定されたダウンリンクのＢＷＰと異なること、又は
現在のダウンリンクのＢＷＰが基地局から設定されたダウンリンクのＢＷＰと同じであり、現在のアップリンクのＢＷＰが基地局から設定されたアップリンクのＢＷＰと異なることを含む。
【００８７】
本開示の実施例に係る端末において、前記処理モジュール６００は、更に、
基地局から送信されたダウンリンクのＢＷＰを変更する又はアップリンクのＢＷＰを変更するＢＷＰ変更命令を受信し、前記ＢＷＰ変更命令に基づいてＢＷＰを変更し、変更後の活性化ＢＷＰを特定し、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、ＢＷＰ非活性化タイマがタイムアウトした場合、ダウンリンクのＢＷＰをデフォルトのダウンリンクのＢＷＰ又は初期ダウンリンクのＢＷＰに変更した後、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、活性化アップリンクとダウンリンクのＢＷＰのＢＷＰ番号が異なれば、現在の活性化されたアップリンクのＢＷＰ及び現在の活性化されたアップリンクのＢＷＰと同じＢＷＰ番号を持つダウンリンクのＢＷＰとして、活性化ＢＷＰを設定する。
【００８８】
本開示の実施例に係る端末において、前記処理モジュール６０１は、更に、
基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、前記ＢＷＰ変更命令を無視し、現在の活性化されたアップリンクのＢＷＰと現在の活性化されたダウンリンクのＢＷＰとを保留し、
又は、基地局から送信されたダウンリンクのＢＷＰを変更する又はアップリンクのＢＷＰを変更するＢＷＰ変更命令を受信した後、現在の活性化されたアップリンクのＢＷＰと現在の活性化されたダウンリンクのＢＷＰで非競合ランダムアクセスを行うことができれば、ＢＷＰを基地局から指示されるＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、又は、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ＢＷＰ非活性化タイマのタイムアウト情報を無視し、現在の活性化されたアップリンクのＢＷＰと現在の活性化されたダウンリンクのＢＷＰを保留し、
又は、ＢＷＰ非活性化タイマがタイムアウトした場合、現在の活性化されたアップリンクのＢＷＰと現在の活性化されたダウンリンクのＢＷＰで非競合ランダムアクセスを行うことができれば、ダウンリンクのＢＷＰをデフォルトのダウンリンクのＢＷＰ又は初期ダウンリンクのＢＷＰに変更した後、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたアップリンクのＢＷＰに非競合ランダムアクセスリソースが設定され、且つ現在の活性化されたダウンリンクのＢＷＰが、現在の活性化されたアップリンクのＢＷＰに対応する、非競合ランダムアクセスのためのダウンリンクのＢＷＰでない場合、現在の活性化されたアップリンクのＢＷＰ及び基地局による非競合ランダムアクセスリソース設定のうち、現在の活性化されたアップリンクのＢＷＰに対応するダウンリンクのＢＷＰとして、活性化ＢＷＰを設定し、
又は、現在の活性化されたダウンリンクのＢＷＰに非競合ランダムアクセスリソースが設定され、且つ現在の活性化されたアップリンクのＢＷＰが、現在の活性化されたダウンリンクのＢＷＰに対応する、非競合ランダムアクセスのためのアップリンクのＢＷＰでない場合、現在の活性化されたダウンリンクのＢＷＰ及び基地局による非競合ランダムアクセスリソース設定のうち、現在の活性化されたダウンリンクのＢＷＰに対応するアップリンクのＢＷＰとして、活性化ＢＷＰを設定する。
【００８９】
本開示の実施例に係る端末は、非競合ランダムアクセスを開始する際に、現在のアップリンクとダウンリンクのＢＷＰが、基地局から設定された非競合ランダムアクセスのためのアップリンクとダウンリンクのＢＷＰと一致しなければ、活性化ＢＷＰをリセットし、例えば、同じ番号を持つアップリンクのＢＷＰとダウンリンクのＢＷＰを活性化ＢＷＰに設定して競合ランダムアクセスを行うようにしたり、基地局から設定された非競合ランダムアクセスのためのアップリンクのＢＷＰとダウンリンクのＢＷＰを活性化ＢＷＰに設定して非競合アクセスを行うようにしたりすることで、現在のアップリンクとダウンリンクのＢＷＰが、基地局から設定された非競合ランダムアクセスのためのアップリンクとダウンリンクのＢＷＰと一致しない場合にランダムアクセスがどのように行われるかという問題を解決する。
【００９０】
本開示の各実施例において、上記各プロセスの番号の大きさは、実行順の前後を意味するのではなく、各プロセスの実行順は、その機能及び内在的な論理によって確定されるものであり、本開示の実施例の実施プロセスに対しいっさい限定を設定しないと理解すべきである。
【００９１】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021524698.tif 000003
【図２】
2021524698.tif 000004
【図３】
2021524698.tif 000005
【図４】
2021524698.tif 000006
【図５】
2021524698.tif 000007
【図６】
2021524698.tif 000008
【国際調査報告】
2021524698.tif 000009
2021524698.tif 000010
2021524698.tif 000011
2021524698.tif 000012